(57)【特許請求の範囲】
【請求項１】
光源からの照明光を照明光学系によって、投影光学系の光軸上に設置されたＴＩＲプリズムに所定の方向から入射し、該ＴＩＲプリズムによって、前記投影光学系の光軸に対して垂直かつ長辺が設置面に対して水平になるように配設されたＤＭＤに対して所定の照射方向から所定の入射角度で照射し、該ＤＭＤで変調された光を前記投影光学系によってスクリーン上に投影するプロジェクタ装置において、
前記照明光学系は、反射ミラーを有するとともに、その光軸が前記投影光学系の光軸と平行に配置され、前記反射ミラーによって、前記光源からの照明光を前記ＴＩＲプリズムに所定の方向から入射し、
前記ＤＭＤと前記投影光学系と前記ＴＩＲプリズムと前記反射ミラーとが一体となって前記照明光学系の光軸を中心に回動可能に設けられるとともに、前記ＤＭＤは、長辺を設置面に対して水平に維持した状態で前記照明光学系の光軸を中心に回動可能に設けられ、
前記ＤＭＤと前記投影光学系と前記ＴＩＲプリズムと前記反射ミラーとを前記照明光学系の光軸を中心に回動させることにより、前記ＴＩＲプリズムから長辺が設置面に対して水平な状態の前記ＤＭＤに照射する照明光の照射方向を使用時と不使用時とで可変としたことを特徴とするプロジェクタ装置。
【請求項２】
前記照明光学系から前記ＴＩＲプリズムに入射する照明光の光軸が、不使用時にほぼ水平にされることを特徴とする請求項１に記載のプロジェクタ装置。
【請求項３】
光源からの照明光を照明光学系によって、投影光学系の光軸上に設置されたＴＩＲプリズムに所定の方向から入射し、該ＴＩＲプリズムによって、前記投影光学系の光軸に対して垂直かつ長辺が水平になるように配設されたＤＭＤに対して所定の照射方向から所定の入射角度で照射し、該ＤＭＤで変調された光を前記投影光学系によってスクリーン上に投影するプロジェクタ装置において、
前記照明光学系は、反射ミラーを有するとともに、その光軸が前記投影光学系の光軸と平行に配置され、前記反射ミラーによって、前記光源からの照明光を前記ＴＩＲプリズムに所定の方向から入射するとともに、
装置本体フレームに対して、前記ＤＭＤと前記投影光学系と前記ＴＩＲプリズムと前記反射ミラーとが一体となって前記照明光学系の光軸を中心に回動可能に設けられ、
不使用時に前記反射ミラーから前記ＴＩＲプリズムに入射する照明光の光軸がほぼ水平にされる一方、使用時に前記ＤＭＤの長辺が水平になるように、前記ＤＭＤと前記投影光学系と前記ＴＩＲプリズムと前記反射ミラーとが一体となって前記照明光学系の光軸を中心に回動されることを特徴とするプロジェクタ装置。
【発明の詳細な説明】
【０００１】
【発明の属する技術分野】
本発明はプロジェクタ装置に係り、特にＤＭＤ（Digital Micromirror Device）を用いてスクリーン上に映像を投影するプロジェクタ装置に関する。
【０００２】
【従来の技術】
ＤＭＤは、多数のマイクロミラーがマトリックス状に配置されたものであり、各マイクロミラーが表示画像の１画素を構成する。各マイクロミラーは、ＯＮ状態とＯＦＦ状態の２つの傾斜状態がとれるようにされており、ＯＮ状態の時は照明光が投影光学系内に向けて反射され、ＯＦＦ状態の時は投影光学系外に向けて反射される。したがって、ＤＭＤを用いたプロジェクタ装置では、ＯＮ状態のマイクロミラーで反射された光のみが投影光学系によってスクリーン上に到達し、その結果、明暗のパターンからなる表示画像がスクリーン上に形成される。
【０００３】
このようなＤＭＤを用いたプロジェクタ装置としては、特開平９−９８４４２号公報や特開平１２−２０６４５２号公報等に開示されているものが知られている。
【０００４】
図７は、ＤＭＤのマイクロミラーの駆動構造を示す平面図であり、図８は、図７の８−８断面図である。なお、同図はＤＭＤを構成する多数のマイクロミラーのうち１つを抜き出して拡大表示したものであり、実際のＤＭＤは、多数のマイクロミラーがマトリックス状に配置されて構成されている。
【０００５】
図７、図８に示すように、ＤＭＤ１のマイクロミラー２は、回動軸ａｂを支点に回動することにより、ＤＭＤ１の表面に対して＋１０°傾いたＯＮ状態と、−１０°傾いたＯＦＦ状態の２つの傾斜状態をとる。このマイクロミラー２の回動軸ａｂは、ＤＭＤ１の長辺又は短辺に対して４５°傾いた方向に設定されており、照明光Ｌ0 は、この回動軸ａｂと直交する方向からＤＭＤ１の表面に対して２０°の入射角で照射される。
【０００６】
ＤＭＤ１に照射された照明光Ｌ0 は、ＯＮ状態のマイクロミラー２に反射されると、ＤＭＤ１の表面に対する反射角が０°の投影光Ｌ1 となり、ＯＦＦ状態のマイクロミラー２に反射されると、ＤＭＤ１の表面に対する反射角が−４０°の投影光Ｌ2 となる。投影光学系には、ＯＮ状態のマイクロミラー２に反射された投反射角０°の光束である投影光Ｌ1 のみが入射されてスクリーン上に明暗のパターンからなる表示画像が形成される。
【０００７】
ところで、上記のようにＤＭＤを用いたプロジェクタ装置では、上述したＤＭＤ１の構造上、照明光Ｌ0 をマイクロミラー２の回動軸ａｂと直交する方向（ＤＭＤ１の長辺又は短辺に対して４５°傾いた方向）から入射させ、更にＤＭＤ１の表面に対して２０°の入射角をもって入射させるという２つの制約を満たすように照明光学系を構成する必要がある。
【０００８】
そして、従来のプロジェクタ装置では、図９及び図１０に示すように、ＴＩＲプリズム(Total Internal Reflection Prism：全反射プリズム）を用いて、光源からの照明光をＤＭＤに照射するようにしていた。すなわち、光源３から出射した光をロッドインテグレータ４に集光し、第１ミラー５及び第２ミラー６によってＴＩＲプリズム７に導き、そのＴＩＲプリズム７で全反射させることにより、ＤＭＤ１に所要の方向（ＤＭＤ１の長辺又は短辺と４５°をなす方向）から所要の入射角度（２０°）をもって照射させるようにしていた。そして、このように照射した照明光をＤＭＤ１で反射させることにより光変調を行い、その光変調後にＴＩＲプリズム７を透過した光を投影光学系８でスクリーンに投影するようにしていた。
【０００９】
【発明が解決しようとする課題】
しかしながら、従来のプロジェクタ装置は、上記のような２つの制約を満たすために、図１０に示すように、ＤＭＤ１に対して斜め方向から照明光を入射するようにしており、その状態で固定されていたため、装置全体を薄型化できないという欠点があった。
【００１０】
本発明は、このような事情に鑑みて成されたもので、薄型化が可能なプロジェクタ装置を提供することを目的とする。
【００１１】
【課題を解決するための手段】
請求項１に係る発明は、前記目的を達成するために、光源からの照明光を照明光学系によって、投影光学系の光軸上に設置されたＴＩＲプリズムに所定の方向から入射し、該ＴＩＲプリズムによって、前記投影光学系の光軸に対して垂直かつ長辺が設置面に対して水平になるように配設されたＤＭＤに対して所定の照射方向から所定の入射角度で照射し、該ＤＭＤで変調された光を前記投影光学系によってスクリーン上に投影するプロジェクタ装置において、前記照明光学系は、反射ミラーを有するとともに、その光軸が前記投影光学系の光軸と平行に配置され、前記反射ミラーによって、前記光源からの照明光を前記ＴＩＲプリズムに所定の方向から入射し、前記ＤＭＤと前記投影光学系と前記ＴＩＲプリズムと前記反射ミラーとが一体となって前記照明光学系の光軸を中心に回動可能に設けられるとともに、前記ＤＭＤは、長辺を設置面に対して水平に維持した状態で前記照明光学系の光軸を中心に回動可能に設けられ、前記ＤＭＤと前記投影光学系と前記ＴＩＲプリズムと前記反射ミラーとを前記照明光学系の光軸を中心に回動させることにより、前記ＴＩＲプリズムから長辺が設置面に対して水平な状態の前記ＤＭＤに照射する照明光の照射方向を使用時と不使用時とで可変としたことを特徴とするプロジェクタ装置を提供する。
また、請求項２に係る発明は、前記目的を達成するために、前記照明光学系から前記ＴＩＲプリズムに入射する照明光の光軸が、不使用時にほぼ水平にされることを特徴とする請求項１に記載のプロジェクタ装置を提供する。
また、請求項３に係る発明は、前記目的を達成するために、光源からの照明光を照明光学系によって、投影光学系の光軸上に設置されたＴＩＲプリズムに所定の方向から入射し、該ＴＩＲプリズムによって、前記投影光学系の光軸に対して垂直かつ長辺が水平になるように配設されたＤＭＤに対して所定の照射方向から所定の入射角度で照射し、該ＤＭＤで変調された光を前記投影光学系によってスクリーン上に投影するプロジェクタ装置において、前記照明光学系は、反射ミラーを有するとともに、その光軸が前記投影光学系の光軸と平行に配置され、前記反射ミラーによって、前記光源からの照明光を前記ＴＩＲプリズムに所定の方向から入射するとともに、装置本体フレームに対して、前記ＤＭＤと前記投影光学系と前記ＴＩＲプリズムと前記反射ミラーとが一体となって前記照明光学系の光軸を中心に回動可能に設けられ、不使用時に前記反射ミラーから前記ＴＩＲプリズムに入射する照明光の光軸がほぼ水平にされる一方、使用時に前記ＤＭＤの長辺が水平になるように、前記ＤＭＤと前記投影光学系と前記ＴＩＲプリズムと前記反射ミラーとが一体となって前記照明光学系の光軸を中心に回動されることを特徴とするプロジェクタ装置を提供する。
【００１２】
本発明によれば、使用時と不使用時とで照明光学系によってＤＭＤに照射する照明光の照射方向を変えることができる。したがって、使用時のみ照明光を所定の方向からＤＭＤに照射させるようにすることにより、不使用時は装置全体を薄型化できる。
【００１５】
【発明の実施の形態】
以下、添付図面に従って本発明に係るプロジェクタ装置の好ましい実施の形態について詳説する。
【００１６】
図１は、本発明に係るプロジェクタ装置の第１の実施の形態の概略構成を示す斜視図である。また、図２〜図４は、その光学系の配置構成を示す正面図、平面図、側面図である。なお、各図において、（ａ）図はプロジェクタ装置の使用時の状態を示しており、（ｂ）図は不使用時の状態を示している。
【００１７】
図１〜図４に示すように、本実施の形態のプロジェクタ装置１０は、主として固定フレーム１２、回動フレーム１４、照明光学系１６、ＴＩＲプリズム１８、ＤＭＤ２０及び投影光学系２２で構成されている。
【００１８】
固定フレーム１２は、図示しない装置本体フレームにビス等で固定され、この固定フレーム１２に対して回動フレーム１４が光軸LA（照明光学系の光軸）を中心に回動自在に支持される。すなわち、回動フレーム１４は、その一端面に形成された軸部２４Ａが固定フレーム１２に形成された軸受部２６Ａに軸支されるとともに、他端面に形成された環状の軸部２４Ｂが固定フレーム１２に形成された環状の軸受部２６Ｂに軸支されることにより、固定フレーム１２に対して光軸LAを中心に回動自在に支持される。そして、この回動フレーム１４は、光軸LAを中心として回動することにより、固定フレーム１２に対して水平な不使用状態（図１の（ｂ）図の状態）と、固定フレーム１２に対して４５°傾斜した使用状態（図１の（ａ）図の状態）の２つの状態をとる。なお、使用状態において、回動フレーム１４は、図示しないストッパによって固定フレーム１２に固定され、これにより、その傾斜状態が維持される。
【００１９】
照明光学系１６は、光源２８、ロッドインテグレータ３０、リレーレンズ３２、反射ミラー３４及びカラーホイール３６で構成されており、光源２８から発した照明光をＴＩＲプリズム１８に導く。
【００２０】
光源２８は、光源ランプとリフレクタとで構成され、固定フレーム１２に形成された光源取付部３８に取り付けられる。
【００２１】
ロッドインテグレータ３０は、光軸LA上に配設され、図示しない支持部材を介して回動フレーム１４に取り付けられる。光源２８から出射した照明光は、このロッドインテグレータ３０に入射され、内部で複数回反射することにより、均一な明るさをもった照明光として出射される。
【００２２】
リレーレンズ３２は、光軸LA上に配設され、図示しない支持部材を介して回動フレーム１４に取り付けられる。ロッドインテグレータ３０から出射した照明光は、このリレーレンズ３２によって集光される。
【００２３】
反射ミラー３４は、光軸LA上に配設され、図示しない支持部材を介して回動フレーム１４に取り付けられる。リレーレンズ３２で集光された照明光は、この反射ミラー３４で反射されることにより、ＴＩＲプリズム１８に入射される。
【００２４】
カラーホイール３６は、円盤にＲＧＢ各色のフィルタを取り付けることにより構成され、光源２８とロッドインテグレータ３０との間に配設される。このカラーホイール３６は、モータ４０で回転させることにより、ロッドインテグレータ３０に入射される照明光の色をＲＧＢの順で変化させる。
【００２５】
ＴＩＲプリズム１８は、光軸LB（投影光学系の光軸）上に配設され、図示しない支持部材によって回動フレーム１４に取り付けられる。このＴＩＲプリズム１８は、第１プリズム１８Ａと第２プリズム１８Ｂとで構成され、ＤＭＤ２０に対する入力光と出力光の分離を行う。第１プリズム１８Ａは、照明光学系１６から出射した照明光を全反射させることにより、ＤＭＤ２０に対して所定の方向から所定の入射角度で照明光を照射する。一方、第２プリズム１８Ｂは、ＤＭＤ２０での光変調後に第１プリズム１８Ａを透過した光を透過させる。
【００２６】
ＤＭＤ２０は、多数のマイクロミラーをマトリックス状に配置して構成され、各マイクロミラーをＯＮ／ＯＦＦ制御することにより所定の画像を表示する。このＤＭＤ２０は、光軸LBに対して垂直に配設されており、保持プレート４２を介して回転リング４４に取り付けられている。回転リング４４は、回動フレーム１４の端面に形成されたリング状の支軸４６に回動自在に支持されており、光軸LBを中心に回動する。
【００２７】
この回転リング４４の外周の一部にはギア部４８が形成されており、回動フレーム１４に設けられたアイドルギア５０に噛合されている。アイドルギア５０は、固定フレーム１２の一部に形成されたギア部５２に噛合されており、該ギア部５２は光軸LAを中心とする円弧に沿って形成されている。各ギア４８、５０、５２は遊星ギア機構を構成し、この遊星ギア機構の作用によって、ＤＭＤ２０は、回動フレーム１４を回動させても、その状態を維持したまま光軸LAの回りを回動する。すなわち、その長辺が水平な状態を維持したまま、光軸LAの回りを回動する。
【００２８】
投影光学系２２は、レンズ鏡筒５４内に複数のレンズ群が収納配置されて構成され、投射画像のピント調整を行うためのフォーカス調整機能が設けられている。この投影光学系２２は、光軸LB上に配設され、回動フレーム１４に形成された支持部材５６に取り付けられている。ＤＭＤ２０によって光変調されたあと、ＴＩＲプリズム１８を通過した投影光は、この投影光学系２２によって図示しないスクリーン上に拡大投影される。
【００２９】
前記のごとく構成された本実施の形態のプロジェクタ装置１０の作用は次のとおりである。
【００３０】
本実施の形態のプロジェクタ装置１０は、使用時と不使用時とで２つの形態をとる。すなわち、使用時は、図１〜図４の（ａ）図に示すように、回動フレーム１４を固定フレーム１２に対して４５°傾斜させた形態となり（使用状態）、不使用時は、図１〜図４の（ｂ）図に示すように、回動フレーム１４を固定フレーム１２に対して水平に寝かせた形態となる（不使用状態）。
【００３１】
ここで、回動フレーム１４を回動させると、回動フレーム１４に取り付けられたＤＭＤ２０も光軸LAの回りを回転するが、ＤＭＤ２０は、前記遊星ギア機構（ギア４８、５０、５２）によって、その姿勢を変えることなく光軸LAの回りを回転する。すなわち、その長辺が水平な状態を維持したまま、光軸LAの回りを回転（公転）する。
【００３２】
一方、このＤＭＤ２０に照明光を照射するＴＩＲプリズム１８は、回動フレーム１４に固定されているため、回動フレーム１４が回動すると、その回動フレーム１４と共に光軸LAの回りを回動する。
【００３３】
この結果、ＴＩＲプリズム１８はＤＭＤ２０に対して光軸LB回りに相対的に回転し、これにより、ＤＭＤ２０に照射される照明光の入射方向が変化する。そして、ＴＩＲプリズム１８は、回動フレーム１４が固定フレーム１２に対して４５°傾斜して使用状態になると、所定の方向（ＤＭＤ２０の長辺と４５°をなす方向）から所定の入射角度（２０°）をもって照明光をＤＭＤ２０に照射できるようになる。すなわち、ＤＭＤ２０の長辺に対して４５°傾いた方向からＤＭＤ２０の表面に対して２０°の入射角度をもって照明光を照射できるようになる。これにより、所望の画像をスクリーン上に投影することができるようになる。
【００３４】
このように、本実施の形態のプロジェクタ装置１０は、使用時にのみ回動フレーム１４を固定フレーム１２に対して傾斜させて使用する。そして、このように回動フレーム１４を傾斜させた状態で光源２８を点灯すると、その光源２８から照射された照明光は、カラーホイール３６を介してロッドインテグレータ３０に入射され、リレーレンズ３２、反射ミラー３４を介してＴＩＲプリズム１８に導かれる。そして、そのＴＩＲプリズム１８で全反射されたのちＤＭＤ２０に所定の方向（ＤＭＤ２０の長辺と４５°をなす方向）から所定の入射角度（２０°）をもって照射される。ＤＭＤ２０は所定の画像に必要な光だけを投影光学系２２に反射し、その投影光が投影光学系２２によって拡大されて図示しないスクリーン上に投影される。
【００３５】
以上説明したように、本実施の形態のプロジェクタ装置１０は、使用時と不使用時とで２つの形態をとることにより、不使用時はコンパクトな構成にすることができる。
【００３６】
また、光学系を固定した従来のプロジェクタ装置に比べて少ない数の反射ミラーで装置を構成できるので、光学系の構成自体も単純化することができる。
【００３７】
なお、本実施の形態では、ＤＭＤ２０の姿勢を維持したまま光軸LA回りに光軸LB及びＤＭＤ２０を回動させるようにしているが、ＤＭＤ２０を固定とし、光軸LA側を光軸LB回りに回動させるようにしても同様の目的を達成できる。
【００３８】
また、本実施の形態では、反射ミラー３４を用いることにより、照明光学系１６の光軸LAが投影光学系２２の光軸LBと平行になるようにしているが、照明光学系１６の光軸は、投影光学系２２の光軸LBに対して直交するように構成してもよい。なお、本実施の形態のように、反射ミラー３４を用いて照明光学系１６の光軸LAを投影光学系２２の光軸LBと平行にすることにより、幅方向のコンパクト化が可能になる。
【００３９】
図５は、本発明に係るプロジェクタ装置の第２の実施の形態の概略構成を示す斜視図である。また、図６は、その光学系の配置構成を示す正面図である。なお、各図において、図（ａ）はプロジェクタ装置の使用時の状態を示しており、図（ｂ）は不使用時の状態を示している。また、上述した第１の実施の形態のプロジェクタ装置１０と同一部材には同一符号を付してある。
【００４０】
図５、図６に示すように、本実施の形態のプロジェクタ装置６０では、ＤＭＤ２０が回動フレーム１４に固定されている。このＤＭＤ２０は、ＴＩＲプリズム１８から出射した照明光が、所定の方向（ＤＭＤ２０の長辺と４５°をなす方向）から所定の入射角度（２０°）をもって入射するように予め所定角度をもって回動フレーム１４に固定されている。すなわち、ＴＩＲプリズム１８から出射した照明光が、ＤＭＤ２０の長辺に対して４５°傾いた方向からＤＭＤ２０の表面に対して２０°の入射角度をもって照射されるように、光軸LBに対して予め所定角度傾斜して回動フレーム１４に固定されている。そして、このＤＭＤ２０は、回動フレーム１４を回動させ、回動フレーム１４を固定フレーム１２に対して４５°傾斜させると、その長辺が設置面に対して水平な状態になる。
【００４１】
前記のごとく構成された本実施の形態のプロジェクタ装置６０の作用は次のとおりである。
【００４２】
本実施の形態のプロジェクタ装置６０は、上述した第１の実施の形態と同様に使用時と不使用時とで２つの形態をとる。すなわち、使用時は、図５、図６の（ａ）図に示すように、回動フレーム１４を固定フレーム１２に対して４５°傾斜させた形態となり（使用状態）、不使用時は、図５、図６の（ｂ）図に示すように、回動フレーム１４を固定フレーム１２に対して水平な状態に寝かせた形態となる（不使用状態）。
【００４３】
ここで、本実施の形態のプロジェクタ装置６０は、ＴＩＲプリズム１８から出射した照明光が、所定の方向から所定の入射角度をもって入射するようにＤＭＤ２０が予め設置されているので、不使用状態においてもスクリーン上に映像を投影することができる。しかし、不使用状態ではＤＭＤ２０が傾斜しているため、スクリーン上に投影される映像も斜めに傾いた映像になる。
【００４４】
そこで、回動フレーム１４を回動させ、スクリーン上に投影される映像の傾きを修正する。ここで、回動フレーム１４を固定フレーム１２に対して４５°傾斜させ、使用状態にすると、ＤＭＤ２０は、その長辺が水平になる。したがって、スクリーン上に投影される映像も傾きのない映像となる。
【００４５】
このように、本実施の形態のプロジェクタ装置６０は、使用時と不使用時とで２つの形態をとることにより、不使用時にはコンパクトな構成にすることができる。
【００４６】
また、光学系を固定した従来のプロジェクタ装置に比べて少ない数の反射ミラーで装置を構成できるので、光学系の構成自体も単純化することができる。
【００４７】
なお、本実施の形態では、ＤＭＤ２０を含む光学系全体を光軸LAを回転軸として回動させるようにしているが、光軸LBを回転軸として回動させるようにしても同様の目的を達成することができる。すなわち、ＤＭＤ２０を含む光学系全体をＤＭＤ２０に対して垂直な回転軸を中心として回動できる構成であれば、同様の目的を達成することができる。
【００４８】
また、本実施の形態では、反射ミラー３４を用いることにより、照明光学系１６の光軸LAが投影光学系２２の光軸LBと平行になるようにしているが、照明光学系１６の光軸は、投影光学系２２の光軸LBに対して直交するように構成してもよい。なお、本実施の形態のように、反射ミラー３４を用いて照明光学系１６の光軸LAを投影光学系２２の光軸LBと平行にすることにより、幅方向のコンパクト化が可能になる。
【００４９】
【発明の効果】
以上説明したように、本発明によれば、使用時と不使用時とで照明光学系又は投影光学系の配置を変えることにより、不使用時にコンパクトな構成のプロジェクタ装置にすることができる。
【図面の簡単な説明】
【図１】第１の実施の形態のプロジェクタ装置の概略構成を示す斜視図
【図２】第１の実施の形態のプロジェクタ装置の光学系の配置構成を示す正面図
【図３】第１の実施の形態のプロジェクタ装置の光学系の配置構成を示す側面図
【図４】第１の実施の形態のプロジェクタ装置の光学系の配置構成を示す平面図
【図５】第２の実施の形態のプロジェクタ装置の概略構成を示す斜視図
【図６】第２の実施の形態のプロジェクタ装置の光学系の配置構成を示す正面図
【図７】ＤＭＤのマイクロミラーの駆動構造を示す平面図
【図８】図７の８−８断面図
【図９】従来のプロジェクタ装置の光学系の配置構成を示す正面図
【図１０】従来のプロジェクタ装置の光学系の配置構成を示す平面図
【符号の説明】
１０…プロジェクタ装置、１２…固定フレーム、１４…回動フレーム、１６…照明光学系、１８…ＴＩＲプリズム、２０…ＤＭＤ、２２…投影光学系、２４Ａ、２４Ｂ…軸部、２６Ａ、２６Ｂ…軸受部、２８…光源、３０…ロッドインテグレータ、３２…リレーレンズ、３４…反射ミラー、３６…カラーホイール、３８…光源取付部、４０…モータ、４２…保持プレート、４４…回転リング、４６…支軸、４８…ギア部、５０…アイドルギア、５２…ギア部、５４…レンズ鏡筒、５６…支持部材、６０…プロジェクタ装置、LA…照明光学系、LB…投影光学系
【図１】
0004126524.tif 000002
【図２】
0004126524.tif 000003
【図３】
0004126524.tif 000004
【図４】
0004126524.tif 000005
【図５】
0004126524.tif 000006
【図６】
0004126524.tif 000007
【図７】
0004126524.tif 000008
【図８】
0004126524.tif 000009
【図９】
0004126524.tif 000010
【図１０】
0004126524.tif 000011